(57)【要約】【課題】  光を有効に利用して太陽電池の発電効率を高めて省エネを達成できる画像読取装置を提供する。【解決手段】  スキャナユニット１の原稿台ガラス２の下部に設けられたスキャナランプ３からの光が上方の原稿台ガラス２および右側に配置されている太陽電池パネル１０にのみ照射されるように、スキャナランプ３に反射板４が設けられ、原稿面の反射光は光学系としてのミラー５，６および７で反射され，レンズ８を介してＣＣＤセンサ９に導かれ、ＣＣＤセンサ９によって原稿の画像データが読取られる。太陽電池パネル１０は、スキャナランプ３からの光を受けて発電する。【選択図】      図１
2005328187.tif 000002
【特許請求の範囲】
【請求項１】
光源からの光を原稿面に照射し、その反射光により原稿面の画像を読取る光学系を備えた画像読取装置であって、
前記光学系に関連して、前記光源からの光が直接照射される位置に設けられる太陽電池パネルを備えた、画像読取装置。
【請求項２】
前記太陽電池パネルは、前記光源からの直接光が到達する位置に設けられる、請求項１に記載の画像読取装置。
【請求項３】
前記太陽電池パネルは、前記光源からの光を前記原稿面に照射させるための反射板に設けられる、請求項１に記載の画像読取装置。
【請求項４】
光源からの光を原稿面に照射し、その反射光により原稿面の画像を読取る光学系を備えた画像読取装置であって、
前記光学系は、前記原稿面からの反射光が入射されることで前記原稿の画像データを出力する読取センサを含み、
前記読取センサの周辺に配置される太陽電池パネルを備えた、画像読取装置。
【請求項５】
前記光学系は、前記原稿面からの反射光を集光するレンズを含み、
前記太陽電池パネルには前記レンズで集光された光が照射される、請求項４に記載の画像読取装置。
【請求項６】
さらに、前記太陽電池パネルで発電された電力を蓄電するための蓄電手段を含む、請求項１に記載の画像読取装置。
【請求項７】
前記光学系は、前記原稿面からの反射光を前記読取センサに導くための複数のミラーを含み、
前記太陽電池パネルは前記複数のミラーに設けられる、請求項４から６のいずれかに記載の画像読取装置。
【発明の詳細な説明】
【技術分野】
【０００１】
この発明は画像読取装置に関し、例えば、光源からの光を原稿面に照射し、その反射光により原稿面の画像を読取る光学系を備えた画像読取装置に関する。
【背景技術】
【０００２】
画像形成装置は、モータや定着ヒータなどの内蔵機器による消費電力が大きく、省エネを図ることが課題になっている。省エネのために太陽電池パネルを利用するのが有効であるが、そのような例が特開２００４−０８８６４９号公報（特許文献１）に記載されている。この例ではスキャナランプのランプ光を太陽電池パネルに導いて、太陽電池パネルで発電した電力を蓄電している。
【特許文献１】特開２００４−０８８６４９号公報（段落番号０００５、図１）
【発明の開示】
【発明が解決しようとする課題】
【０００３】
特許文献１に記載された画像形成装置における画像読取装置では、スキャナユニットの下部に太陽電池パネルを配置しており、ミラーなどによってスキャナランプからの光が遮られることがあり、エネルギのロスが大きく、太陽電池パネルによる発電効率が低いという問題がある。
【０００４】
そこで、この発明の目的は、光を有効に利用することにより太陽電池の発電効率を高めて省エネを達成できる画像読取装置を提供することである。
【課題を解決するための手段】
【０００５】
この発明は、光源からの光を原稿面に照射し、その反射光により原稿面の画像を読取る光学系を備えた画像読取装置であって、光学系に関連して、光源からの光が直接照射される位置に設けられる太陽電池パネルを備える。
【０００６】
好ましくは、太陽電池パネルは、光源からの直接光が到達する位置に設けられる。
【０００７】
好ましくは、太陽電池パネルは、光源からの光を原稿面に反射させるための反射板として設けられる。
【０００８】
この発明の他の局面は、光源からの光を原稿面に照射し、その反射光により原稿面の画像を読取る光学系を備えた画像読取装置であって、光学系は原稿面の反射光が入射されることで原稿の画像データを出力する読取センサを含み、読取センサの周辺に配置される太陽電池パネルを備える。
【０００９】
好ましくは、光学系は原稿面の反射光を集光するレンズを含み、太陽電池パネルにはレンズで集光された光が照射される。
【００１０】
好ましくは、太陽電池パネルで発電された電力を蓄電するための蓄電手段を含む。
【００１１】
好ましくは、光学系は原稿面からの反射光を読取センサに導くための複数のミラーを含み、太陽電池パネルは複数のミラーに設けられる。
【発明の効果】
【００１２】
この発明によれば、光源からの光を原稿面に照射し、その反射光により原稿面の画像を読取る光学系に関連して、光源からの光が直接照射される位置に太陽電池パネルを設けたので、光を有効に利用して太陽電池パネルで効率よく発電することができる。
【００１３】
また、光源からの光を原稿面に照射し、その反射光により原稿面の画像を読取る光学系は、原稿面の反射光が入射されることで原稿の画像データを出力する読取センサを含み、読取センサの周辺に太陽電池パネルを配置したので、読取センサに導かれる反射光により太陽電池パネルで効率よく発電することができる。
【発明を実施するための最良の形態】
【００１４】
図１はこの発明の一実施形態における画像読取装置のスキャナユニットの側面断面図である。図１において、スキャナユニット１には原稿台ガラス２が設けられており、原稿台ガラス２の下部にはスキャナランプ３が設けられている。原稿台ガラス２上には図示しない原稿が載置され、原稿面にはスキャナランプ３から光が照射される。スキャナランプ３からの光が上方の原稿台ガラス２および右側に配置されている太陽電池パネル１０にのみ照射されるように、スキャナランプ３に断面が球面状の反射板４が設けられている。原稿面からの反射光は光学系としてのミラー５，６および７で反射され，レンズ８を介してＣＣＤセンサ９に導かれ、ＣＣＤセンサ９によって原稿の画像データが読取られる。
【００１５】
太陽電池パネル１０は原稿台ガラス２の右側下部に設置されており、スキャナランプ３からの光を受けて発電する。太陽電池パネル１０で発電された電力を蓄電するために蓄電器１１が設けられている。蓄電器１１は蓄電池やその他の大容量コンデンサを用いてもよい。ＣＣＤセンサ９は発熱により温度が上昇するため、ＣＣＤセンサ９の近傍には冷却ファン１２が配置されており、太陽電池パネル１０で発電された電力により冷却ファン１２が駆動される。なお。冷却ファン１２をスキャナランプ３の近傍に配置して、スキャナランプ３を冷却するようにしてもよい。
【００１６】
上述のごとく、この実施形態によれば、スキャナランプ３からの光が直接太陽電池パネル１０に入射されるように反射板４で反射させることにより、光の有効利用を図ることができ、太陽電池パネル１０の効率を高めることができる。
【００１７】
図２はこの発明の他の実施形態における画像読取装置のスキャナユニットの側面断面図である。図２において、スキャナユニット１の原稿台ガラス２と、スキャナランプ３と、ミラー５，６および７と、レンズ８と、ＣＤセンサ９は図１と同様にして構成されている。なお、図１に示した蓄電器１１と冷却ファン１２は図示を省略している。
【００１８】
スキャナランプ３の周囲には、太陽電池パネル１３からなる反射板が設けられている。太陽電池パネル１３の表面にはガラスが用いられており、スキャナランプ３からの光の一部を吸収して発電のために利用し、残りを反射させるので反射板として用いることができる。反射板は断面がほぼＬ字状に形成されており、スキャナランプ３に近接して設けられているので、集光効率を高くできるという利点がある。
【００１９】
図３はこの発明の他の実施形態における画像読取装置のスキャナユニットの側面断面図であり、図４は図３に示したＣＣＤセンサ９および太陽電池パネル１４の平面図である。
【００２０】
この実施形態は、図３に示すようにＣＣＤセンサ９の周囲に太陽電池パネル１４を取付けたものであり、それ以外の構成は図１と同じである。ＣＣＤセンサ９は図４に示すように原稿の幅方向の画像データを検出するために細長い帯状に配置されており、その周囲に太陽電池パネル１４が設けられている。ミラー５，６および７で反射された光はレンズ８により細長い帯状に集光されてＣＣＤセンサ９に導かれる。
【００２１】
この実施形態では、ＣＣＤセンサ９の受光部の周辺に太陽電池パネル１４を配置したので、レンズ８で集光されたスキャナランプ３からの光が太陽電池パネル１４に入射されるため、効率を高めることができる。また、図４に示すように太陽電池パネル１４の幅を広くし、ミラー５，６および７も幅を広くすることで、光の当たる範囲を広げることができるのでより効率を高めることができる。
【００２２】
なお、ミラー５，６および７の表面に太陽電池パネルを設け、スキャナランプ３からの光の一部を吸収して発電に利用し、残りを反射させるようにしてもよい。
【００２３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２４】
【図１】この発明の一実施形態における画像読取装置のスキャナユニットの側面断面図である。
【図２】この発明の他の実施形態における画像読取装置のスキャナユニットの側面断面図である。
【図３】この発明の他の実施形態における画像読取装置のスキャナユニットの側面断面図である。
【図４】図３に示したＣＣＤセンサおよび太陽電池パネルの平面図である。
【符号の説明】
【００２５】
１  スキャナユニット、２  原稿台ガラス、３  スキャナランプ、４  反射板、５，６，７  ミラー、８  レンズ、９  ＣＣＤセンサ、１０，１３,１４  太陽電池パネル、１１  蓄電器、１２  冷却ファン。
【図１】
2005328187.tif 000003
【図２】
2005328187.tif 000004
【図３】
2005328187.tif 000005
【図４】
2005328187.tif 000006